(57)【要約】【課題】安定供給かつ効率的に消費・生成することができる水と、放電とを利用して、脱臭や殺菌を行うことができる空気浄化装置を提供することを目的とする。【解決手段】放電電極１と、対向電極２と、前記電極間にパルス高電圧を印加し放電を発生させるパルス高電圧印加装置３と、ペルチェ素子４と、ヒートシンク５とで構成している空気浄化装置で、前記ペルチェ素子４で冷却される前記放電電極１の周辺に、溜水部である窪み６を配設することにより、前記放電電極１に結露した水を窪み６内に溜めることができ、室内環境が変化して低湿度環境になったときに窪みにたまった結露水で安定的に水は供給される。【選択図】図１
2006102203.tif 000002
【特許請求の範囲】
【請求項１】
放電電極と対向電極との間にパルス状高電圧を印加し、両電極間で放電させるパルス高電圧印加手段と、前記放電電極および／または前記対向電極に設けられ、無給水で水を発生させる水発生手段とを備え、前記電極間に発生させた水と放電を利用し、放電領域でラジカルやイオン等、およびそれらを含んだ微細な水粒子を生成し、前記放電領域下流に放出させるとともに、前記水発生手段の近傍で、かつ、前記放電電極と前記対向電極との間に、水を溜めておく溜水部を配設した空気浄化装置。
【請求項２】
溜水部に不織布を配設したことを特徴とする請求項１記載の空気浄化装置。
【請求項３】
溜水部は略円筒形状であることを特徴とする請求項１または２記載の空気浄化装置。
【発明の詳細な説明】
【技術分野】
【０００１】
本発明は、放電と水を利用し、空気中の悪臭物質や有害物質、さらに細菌やアレルゲン等の除去を行う空気浄化装置に関するものである。
【背景技術】
【０００２】
従来、放電と水を利用し、脱臭や殺菌を行う空気浄化装置は、水蒸気を放電領域部分に導入して、放電により高速飛散している電子と水分子との衝突や紫外線等により、酸化力の強いＯＨラジカルを生成し、悪臭成分や有害物質の分解、さらには空気中の菌・ウイルスなどの不活化やＤＮＡ・ＲＮＡの破壊等を行い繁殖を防止させている（例えば、特許文献１参照）。
【０００３】
また、水溜部の水を静電霧化させて酸化力の高いラジカルとともにそれを含んだ水を霧化し、室内へ放出し、室内空気や室内壁面等の付着臭の脱臭を行っているものもある（例えば、特許文献２参照）。
【特許文献１】特開２００１−９６１９０号公報
【特許文献２】特開２００４−８５１８５号公報
【発明の開示】
【発明が解決しようとする課題】
【０００４】
しかしながら、前記従来の装置は、水を水道配管から給水したり、水タンク等に入れてから放電部分まで給水することが必要であり、一度装置を取り付けると簡単に移動することができない。また水が無くなるとタンクに給水してやることが必要などの手間がかかるという課題を有していた。
【０００５】
そこで前記従来の課題を解決するため、放電電極と対向電極のどちらかまたは両方にペルチェ素子を使用し無給水で水を発生させ、前記電極間に高電圧を印加し放電させ、放電領域でより長寿命な酸化力の高いラジカルやイオン等、およびそれらを含んだ微細な水粒子を生成し、放電領域下流に放出させ、放出された領域の脱臭、殺菌、有害物質除去等を行うものを提案されている。
【０００６】
しかしながら、前記電極間に印加する高電圧印加装置が交流高電圧や直流高電圧では電極部分に生成した水を解離や電離させるだけのエネルギーが低いため、ラジカル・イオン・酸化性物質の生成量が少なくなる。つまり、水を効率的に消費・生成することができない。
【０００７】
また、まわりの環境温湿度条件によっては、過剰に水が生成され、外部に水が流れ出たり、飛び出すといったことや水の生成が少なくラジカル・イオン・酸化性物質の生成量が少なくなるという課題を有していた。
【０００８】
本発明は、前記従来の課題を解決するもので、安定供給かつ効率的に消費・生成することができる水と、放電とを利用して、脱臭や殺菌を行うことができる空気浄化装置を提供することを目的とする。
【課題を解決するための手段】
【０００９】
前記従来の課題を解決するために、本発明の空気浄化装置は、放電電極と対向電極との間にパルス状高電圧を印加し、両電極間で放電させるパルス高電圧印加手段と、前記放電電極および／または前記対向電極に設けられ、無給水で水を発生させる水発生手段とを備
え、前記電極間に発生させた水と放電を利用し、放電領域でラジカルやイオン等、およびそれらを含んだ微細な水粒子を生成し、前記放電領域下流に放出させるとともに、前記水発生手段の近傍で、かつ、前記放電電極と前記対向電極との間に、水を溜めておく溜水部を配設したもので、結露水は溜水部の中に溜まり、溜まった結露水は流れ出すことはなくなる。そこで、溜まった水を低湿度で水供給が不安定な時に利用することで、安定したラジカル・イオン・酸化性物質の生成が可能となる。
【００１０】
つまり、静電霧化現象で使用される水は０．１ｇ／ｈ程度であり、必要運転時間分の窪みがあれば一度溜めておくと後はペルチェへ通電を止めておいても充分静電霧化現象で脱臭、殺菌、有害物質除去等を行うことが可能である。
【００１１】
すなわち、室内環境が変化して低湿度環境になっても窪みに水があれば表面張力によってる安定的に水は電極に供給され、結露水が残っている間はペルチェ通電する必要はないため、省エネ効果もある。
【発明の効果】
【００１２】
本発明のよれば、安定供給かつ効率的に消費・生成することができる水と、放電とを利用して、脱臭や殺菌を行うことができる空気浄化装置を提供することができる。
【発明を実施するための最良の形態】
【００１３】
第１の発明は、放電電極と対向電極との間にパルス状高電圧を印加し、両電極間で放電させるパルス高電圧印加手段と、前記放電電極および／または前記対向電極に設けられ、無給水で水を発生させる水発生手段とを備え、前記電極間に発生させた水と放電を利用し、放電領域でラジカルやイオン等、およびそれらを含んだ微細な水粒子を生成し、前記放電領域下流に放出させるとともに、前記水発生手段の近傍で、かつ、前記放電電極と前記対向電極との間に、水を溜めておく溜水部を配設したもので、室内環境が変化して低湿度環境になっても、溜水部に結露水は存在するため、安定的に水は供給される。
【００１４】
第２の発明は、溜水部に不織布を配設したことを特徴とするもので、電極周辺の結露部分に不織布を設けることにより、生成した結露水は不織布に吸収され保存されるため、傾斜のついた場所に設置してもこぼれることはなく、常に電極へ水は安定供給される。
【００１５】
第３の発明は、溜水部は略円筒形状であることを特徴とするもので、角柱では表面張力でコーナー部に水が残り、結露水を最後まで十分使い取ることができない。円筒にすることで、窪みに溜まった結露水をすべて使い切ることができる。また、放電電極端面は、円筒状水溜め部分の高さよりも低いと電極が水中に浸かってしまうため、水溜め部分よりも高くあることが必要となる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気浄化装置の構成を示す断面図である。
【００１８】
図１において、１は放電電極、２は対向電極である。そして前記電極間に高電圧を印加し放電を発生させるパルス高電圧印加装置３が接続されている。ペルチェ素子４は高電圧印加装置３とともに通電される。放電電極１はペルチェ素子４の冷却面と密着しており、ペルチェ素子４に通電されると放電電極１も熱伝導で冷却される。放電電極1は熱伝導性が重要であり、性能が左右される為、アルミ（Ａｌ）でできている。
【００１９】
また、ペルチェ素子４の反対面である放熱側はヒートシンク５と密着しておりペルチェ素子４で発生する熱を放熱している。また図で示していないがペルチェ素子４と放電電極１、ペルチェ素子４とヒートシンク５の密着面には熱伝導性を良くする為、シリコン系の接着剤または充填剤が塗布してある。
【００２０】
以上のように構成された空気浄化装置について、以下その動作、作用を説明する。
【００２１】
ペルチェ素子４に通電することでペルチェ素子４の冷却面と密着している放電電極１は冷却され露点以下となり結露することになる。この状態で放電電極１と放電電極２には高電圧印加装置３により高電圧が印加されているため、前記電極間には放電が発生しており、放電電極１の先端に静電気力による静電霧化がなされる。
【００２２】
放電は前記電極間にパルス高電圧を印加している為、交流高電圧や直流高電圧に比べるとエネルギーレベルは格段に大きくなり、水を解離や電離させるだけの充分なエネルギーを供給することができ、ラジカル・イオン・酸化性物質の生成量が多くなる。つまり、水を効率的に消費・生成することがでる。
【００２３】
このように連続運転していると、結露部分近辺が低湿度条件になった時、結露水の生成が消費量よりも少なくなってくるため、溜水部である窪み６を設けてある。この窪み６はペルチェ通電時に使用されない結露水を溜めておくことができるので、結露部分近辺が低湿度条件になった時、溜めておいた水を使うことができる。
【００２４】
静電霧化現象で使用される水は０．１ｇ／ｈ程度であり、必要運転時間分の窪みがあれば一度溜めておくと後はペルチェへ通電を止めておいても充分静電霧化現象で脱臭、殺菌、有害物質除去等を行うことが可能である。すなわち、室内環境が変化して低湿度環境になっても窪みに水があれば安定的に水は供給される。
【００２５】
以上のように、本実施の形態において放電電極１の結露する周辺に窪み６を設けることにより、結露水を窪み６に溜めることができ、結露部分近辺が低湿度条件になり水生成が極端に少なくなった時使用することができる。
【００２６】
（実施の形態２）
図２は、本発明の第２の実施の形態における空気浄化装置の構成を示す模式図である。
【００２７】
図２において、結露水を溜める窪み６の中に吸水性の良好な不織布１７を設置してある。このようにすることで空気浄化装置の設置状態が傾くような場合でも結露水を溢すことはなくなり、結露水が外に流れだしたりしないようにすることができ、水の安定供給が可能となる。
【００２８】
（実施の形態３）
図３は、本発明の第３の実施の形態における空気浄化装置の構成を示す斜視図である。
【００２９】
空気浄化装置の窪み６は円筒状に加工してある。角柱では表面張力でコーナー部に水が残り、結露水を最後まで十分使い取ることができない。以上のように、円筒にすることで、窪みに溜まった結露水をすべて使い切ることができる。
【産業上の利用可能性】
【００３０】
以上のように、本発明にかかる空気浄化装置は、結露水があまり生成されない時や過剰に生成される時など、まわりの温湿度条件に左右されやすく、それに伴い長寿命な酸化力の高いラジカルやイオン等、およびそれらを含んだ微細な水粒子の発生量にもバラツキが
発生する。本発明により、常に水を安定供給することが可能となり、ペルチェの電気使用量も節約することも可能になることで、放電と水を利用し、空気中の悪臭物質や有害物質、さらに細菌やアレルゲン等の除去を行う空気浄化装置等の用途にも適用できる。
【図面の簡単な説明】
【００３１】
【図１】本発明の実施の形態１における空気浄化装置の模式図
【図２】本発明の実施の形態２における空気浄化装置の模式図
【図３】本発明の実施の形態３における空気浄化装置の斜視図
【符号の説明】
【００３２】
１  放電電極
２  対向電極
３  パルス高電圧印加装置
４  ペルチェ素子
５  ヒートシンク
６  窪み（溜水部）
１７  不織布
【図１】
2006102203.tif 000003
【図２】
2006102203.tif 000004
【図３】
2006102203.tif 000005